(57)【要約】      （修正有）【課題】組み立て後に箱本体の底部に対して起立する壁部の姿勢を安定して維持させることのできる箱用資材を提供する。【解決手段】底予定部２０と、互いの一端が第一方向に間隔をあけて底予定部に接続され、一端で折り曲げ可能に設けられた一対の第一壁予定部２１と、一対の第一壁予定部の対応する端部同士を接続した変形可能な一対の接続部２２であって、第二方向の長さが一対の第一壁予定部の一端同士の間隔と同一又は略同一の長さに設定された一対の接続部と、互いの一端が第二方向に間隔をあけて底予定部に接続され、一端で折り曲げ可能に設けられた一対の第二壁予定部２３とを備え、第二壁予定部は、底予定部に接続された基端部２３０と、基端部の先端に接続された先端部２３１とを備え、基端部と先端部との境界で折り曲げ可能に構成される。【選択図】図３
2017047949.tif 000002
【特許請求の範囲】
【請求項１】
第一方向及び該第一方向と直交する第二方向に広がる底部と、第一方向に間隔をあけて互いに対向する一対の第一壁部であって、それぞれが第一方向及び第二方向と直交する第三方向に上端及び下端を有し、下端が底部に接続された一対の第一壁部と、第二方向に間隔をあけ、一対の第一壁部間で互いに対向する一対の第二壁部であって、それぞれが第三方向に上端及び下端を有し、下端が底部に接続されるとともに第一方向の両端が隣り合う第一壁部に接続された一対の第二壁部とを有する箱本体を作製可能な箱用資材であって、底部になる底予定部と、一対の第一壁部になる一対の第一壁予定部であって、それぞれが一端と該一端の反対側の他端とを有し、互いの一端が第一方向に間隔をあけて底予定部に接続され、該一端で折り曲げ可能に設けられた一対の第一壁予定部と、一対の第一壁予定部の対応する端部同士を接続した変形可能な一対の接続部であって、伸長状態における第一方向の長さが一対の第一壁予定部の一端同士の間隔と同一又は略同一の長さに設定された一対の接続部と、一対の第二壁部になる一対の第二壁予定部であって、それぞれが一端と該一端の反対側の他端とを有し、互いの一端が第二方向に間隔をあけて底予定部に接続され、該一端で折り曲げ可能に設けられた一対の第二壁予定部とを備え、一対の第二壁予定部のそれぞれは、底予定部に接続された基端部と、基端部の先端に接続された先端部とを備え、基端部と先端部との境界で折り曲げ可能に構成されることを特徴とする箱用資材。
【請求項２】
一対の接続部のそれぞれは、帯状に形成されるとともに、一対の第一壁予定部のそれぞれの一端側を始点とした一対の折曲罫線であって、第一方向に延びる仮想線に対して傾斜する一対の折曲罫線を有している請求項１に記載の箱用資材。
【請求項３】
接続部における一対の折曲罫線間の領域の曲げ剛性が該接続部における他の領域の曲げ剛性よりも高く設定されている請求項２に記載の箱用資材。
【請求項４】
底予定部、第一壁予定部、第二壁予定部、及び接続部のそれぞれは、紙で形成され、接続部は、第一壁予定部及び第二壁予定部よりも薄い紙で形成され、該接続部における一対の折曲罫線間は、薄い紙を二重以上に重ね合わされている請求項３に記載の箱用資材。
【発明の詳細な説明】
【技術分野】
【０００１】
本発明は、対象物を収容するための箱の作製に用いられる箱用資材に関し、より詳しくは、対象物を配置するための収容空間と該収容空間に対して対象物を出し入れするための上端開放部とを画定した箱本体の作製に用いられる箱用資材に関する。
【背景技術】
【０００２】
従来から、対象物の包装や梱包等に用いられる箱は、一般的に、図１２に示す如く、対象物（図示しない）を収容するための収容空間Ｓａと該収容空間Ｓａに対して対象物を出し入れするための上端開放部Ｓｂとを画定した箱本体５０と、箱本体５０と一体又は別体に構成され、箱本体５０の上端開放部Ｓｂを閉塞可能に形成された蓋体５１とを備える。
【０００３】
箱本体５０は、第一方向及び該第一方向と直交する第二方向に広がる平板状の底部５００と、第一方向に間隔をあけて互いに対向する一対の第一壁部５０１，５０１であって、それぞれが第一方向及び第二方向と直交する第三方向に上端及び下端を有し、下端が底部５００に接続された一対の第一壁部５０１，５０１と、第二方向に間隔をあけ、一対の第一壁部５０１，５０１間で互いに対向する一対の第二壁部５０２，５０２であって、それぞれが第三方向に上端及び下端を有し、下端が底部５００に接続されるとともに第一方向の両端が隣り合う第一壁部５０１，５０１に接続された一対の第二壁部５０２，５０２とを備える。
【０００４】
かかる箱本体５０において、隣り合う第一壁部５０１と第二壁部５０２とが互いに接続されることで、一対の第一壁部５０１，５０１及び一対の第二壁部５０２，５０２は、底部５００の外周に沿った環状の壁（周壁）を形成する。これにより、箱本体５０は、底部５００上に配置された対象物を第一壁部５０１，５０１及び第二壁部５０２，５０２によって包囲できるようになっている。すなわち、箱本体５０は、底部５００、第一壁部５０１，５０１、及び第二壁部５０２，５０２によって対象物を収容する収容空間Ｓａを画定し、第一壁部５０１，５０１及び第二壁部５０２，５０２の上端によって上端開放部Ｓｂを画定している。
【０００５】
蓋体５１は、箱本体５０の底部５００と対面する平板状の蓋本体５１０を備える。蓋体５１は、蓋本体５１０が箱本体５０の第一壁部５０１，５０１及び第二壁部５０２，５０２の上端に重ね合わされることで、箱本体５０の上端開放部Ｓｂを閉じる。これにより、この種の箱５で対象物を包装或いは梱包すると、収容空間Ｓａ内に配置された対象物全体が箱本体５０及び蓋体５１によって包囲され、対象物の保護等が確実となる。
【０００６】
ところで、この種の箱５において、箱本体５０の占有容積の大部分が収容空間Ｓａに支配される。そのため、未使用の箱５を保管するにあたり、箱本体５０における収容空間Ｓａ（対象物の配置されていない空間）が保管スペースの大部分を占有してしまい、保管効率が悪くなってしまう。
【０００７】
そこで、この種の箱５において、保管（未使用）時における箱本体５０の保管スペースを最小限に抑えるべく、箱本体５０が展開した状態で保管される。すなわち、この種の箱５において、扁平な箱用資材から立体的な箱本体５０が作製され、保管（未使用）時においては箱用資材のまま保管される。
【０００８】
ここで、箱用資材について説明すると、図１３に示す如く、箱用資材６は、第一方向及び第一方向と直交する第二方向に広がる平面視矩形状の底予定部６０であって、箱本体５０の底部５００になる底予定部６０と、第一方向における底予定部６０の両端（二辺）のそれぞれから延出する一対の延出部６１，６１であって、箱本体５０の第一壁部５０１，５０１になる第一壁予定部６１０，６１０を含む一対の延出部６１，６１と、第二方向における底予定部６０の両端（二辺）のそれぞれから延出する一対の第二壁予定部６２，６２であって、箱本体５０の第二壁部５０２，５０２になる一対の第二壁予定部６２，６２とを備える。
【０００９】
一対の延出部６１，６１のそれぞれは、第一方向における底予定部６０の端縁に接続された第一壁予定部６１０と、第一壁部５０１と第二壁部５０２とを接続するための片状の接続部６１１，６１１であって、第二方向における第一壁予定部６１０の両端から延出した一対の接続部６１１，６１１とを備える。
【００１０】
一対の第二壁予定部６２，６２のそれぞれは、第二方向における底予定部６０の端縁に接続された基端部６２０と、基端部６２０の先端に接続された先端部６２１とを備える。第二方向における先端部６２１の基端部６２０からの延出量は、第二方向における基端部６２０の底予定部６０からの延出量よりも僅かに少なく設定される。
【００１１】
この種の箱用資材６において、底予定部６０と第一壁予定部６１０との境界、第一壁予定部６１０と接続部６１１との境界、基端部６２０と底予定部６０との境界、及び、基端部６２０と先端部６２１との境界には、折曲罫線Ｌが設けられている。
【００１２】
上記構成の箱用資材６は、保管時においては、扁平状態（箱本体５０を展開した状態）のままにされ、対象物を収容するときに、折曲罫線Ｌで折り曲げられて箱本体５０にされる。
【００１３】
具体的に説明すると、図１２に示す如く、第一壁予定部６１０は、底予定部６０との境界にある折曲罫線Ｌで折り曲げられ、底予定部６０に対して起立した状態にされるとともに、接続部６１１，６１１は、第一壁予定部６１０との境界にある折曲罫線Ｌで折り曲げられ、第二壁予定部６２と底予定部６０との境界に沿った姿勢にされる。
【００１４】
そして、第二壁予定部６２，６２において、基端部６２０は、底予定部６０との境界にある折曲罫線Ｌで折り曲げられて底予定部６０に対して起立した状態にされ、先端部６２１は、基端部６２０との境界にある折曲罫線Ｌで折り返される。このとき、片状の接続部６１１，６１１は、基端部６２０と先端部６２１とに挟み込まれる。すなわち、第一壁予定部６１０と連続する片状の接続部６１１，６１１は、二つ折りにされた第二壁予定部６２の基端部６２０と先端部６２１との間に差し込まれた状態にされる。
【００１５】
これにより、箱用資材６における底予定部６０が、箱本体５０の底部５００となり、延出部６１のうちの第一壁予定部６１０，６１０が第一壁部５０１，５０１となり、第二壁予定部６２，６２が、第二壁部５０２，５０２になる。すなわち、上記構成の箱用資材６において、第一壁予定部６１０は、底予定部６０に対して起立することで、一重壁（いわゆる、シングルウォール）の第一壁部５０１になり、第二壁予定部６２は、底予定部６０に対して起立しつつ二つ折りにされることで、接続部６１１を介して第一壁部５０１に接続された二重壁（いわゆる、ダブルウォール）の第二壁部５０２になる（例えば、特許文献１参照）。
【００１６】
なお、延出部６１に含まれる第一壁予定部６１０は、上述の如く、一重壁の第一壁部５０１を形成できるようになっているが、第二壁予定部６２と同様に、底予定部６０の端縁に接続された基端部と、基端部の先端に接続された先端部とを備え、これらの境界に折曲罫線が設けられることで、二重壁（ダブルウォール）の第一壁部５０１になるように構成されることもある。
【先行技術文献】
【特許文献】
【００１７】
【特許文献１】実用新案登録第３１１０７７４号公報
【発明の概要】
【発明が解決しようとする課題】
【００１８】
ところで、上記構成の箱本体５０（箱用資材６）では、片状の接続部６１１が第二壁部５０２（二つ折りにされた第二壁予定部６２の基端部６２０と先端部６２１との間）に差し込まれた状態にされることで、第一壁部５０１と第二壁部５０２とが接続されるため、第一壁部５０１，５０１の傾倒を確実に阻止することができず、第一壁部５０１，５０１及び第二壁部５０２，５０２が起立状態で安定しないことがある。
【００１９】
特に、収容した対象物の移動等で第一壁部５０１，５０１に対して内側から外側に向けての力が加わると、第二壁部５０２，５０２から接続部（片）６１１，６１１が抜け出ようとするため、最悪の場合には、第一壁部５０１，５０１が傾倒し、これに伴って第二壁部５０２，５０２までもが傾倒してしまう虞がある。
【００２０】
そこで、本発明は、対象物を収容する収容空間を画定する箱本体に組み立てることができ、組み立て後に箱本体の底部に対して起立する壁部の姿勢を安定して維持させることのできる箱用資材を提供することを課題とする。
【課題を解決するための手段】
【００２１】
本発明に係る箱用資材は、第一方向及び該第一方向と直交する第二方向に広がる底部と、第一方向に間隔をあけて互いに対向する一対の第一壁部であって、それぞれが第一方向及び第二方向と直交する第三方向に上端及び下端を有し、下端が底部に接続された一対の第一壁部と、第二方向に間隔をあけ、一対の第一壁部間で互いに対向する一対の第二壁部であって、それぞれが第三方向に上端及び下端を有し、下端が底部に接続されるとともに第一方向の両端が隣り合う第一壁部に接続された一対の第二壁部とを有する箱本体を作製可能な箱用資材であって、底部になる底予定部と、一対の第一壁部になる一対の第一壁予定部であって、それぞれが一端と該一端の反対側の他端とを有し、互いの一端が第一方向に間隔をあけて底予定部に接続され、該一端で折り曲げ可能に設けられた一対の第一壁予定部と、一対の第一壁予定部の対応する端部同士を接続した変形可能な一対の接続部であって、伸長状態における第一方向の長さが一対の第一壁予定部の一端同士の間隔と同一又は略同一の長さに設定された一対の接続部と、一対の第二壁部になる一対の第二壁予定部であって、それぞれが一端と該一端の反対側の他端とを有し、互いの一端が第二方向に間隔をあけて底予定部に接続され、該一端で折り曲げ可能に設けられた一対の第二壁予定部とを備え、一対の第二壁予定部のそれぞれは、底予定部に接続された基端部と、基端部の先端に接続された先端部とを備え、基端部と先端部との境界で折り曲げ可能に構成されることを特徴とする。
【００２２】
上記構成の箱用資材によれば、一対の第一壁予定部が底予定部に接続された一端で折り曲げ可能に構成されているが、一対の第一壁予定部の端部同士が、伸長状態における第一方向の長さが一対の第一壁予定部の一端同士の間隔と同一又は略同一の長さに設定された一対の接続部によって接続されているため、一対の第一壁予定部の他端同士の間隔が一端同士の間隔よりも広がることが阻止される。従って、一対の第一壁予定部は、他端同士の間隔が狭まる方向にのみ折り曲げられる。そして、一対の第一壁予定部を接続する接続部は、変形可能に構成されているため、第一壁予定部を一端で折り曲げることによる第一壁予定部の姿勢の変更及び一対の第一壁予定部の間隔の変更を許容する。従って、一対の第一壁予定部は、底予定部に重なった状態にされる。他方、一対の第二壁予定部は、底予定部に接続された一端で折り曲げ可能に構成されているため、底予定部から第二方向に延びた状態、或いは、一端で折り曲げられて底予定部に重なった状態にされる。従って、上記構成の箱用資材は、扁平状態となり、保管時における占有スペースが最小限に抑えられる。
【００２３】
そして、上記構成の箱用資材において、対象物を収容する箱本体を作製するにあたり、一対の第一壁予定部のそれぞれが一端で折り曲げられて底予定部に対して起立し、第一壁部になる。このとき、一対の第一壁予定部の姿勢変更（間隔の変化）に応じ、接続部が伸長状態（真っ直ぐに延びた状態）になる。従って、起立した一対の第一壁予定部の他端（第一壁部の上端）同士の間隔は、伸長状態の接続部の長さに対応した間隔と同一又は略同一の間隔となる。この状態で、起立した一対の第一壁予定部の他端（第一壁部の上端）同士の間隔が一端（第一壁部の下端）同士の間隔よりも広がることが阻止される。すなわち、一対の第一壁予定部（第一壁部）のそれぞれが互いに離反する方向に傾倒することが阻止される。
【００２４】
そして、一対の第二壁予定部のそれぞれにおいて、基端部と底予定部との境界、基端部と先端部との境界で折り曲げられる。これにより、第二壁予定部（基端部及び先端部）が二つ折りにされた状態で底予定部に対して起立し、第二壁部になる。この状態において、第二壁予定部（第二壁部）は、基端部及び先端部によって接続部を挟み込む。これにより、起立した第二壁部（二つ折りにされた第二壁予定部（基端部及び先端部））は、内側及び外側に傾倒することが阻止される。また、起立した第二壁部は、一対の第一壁部間で互いに対向するため、一対の第一壁部の内側への傾倒を阻止する。
【００２５】
従って、上記構成の箱用資材は、組み立て後に箱本体の底部に対して起立する壁部の姿勢を安定して維持させることができる。
【００２６】
本発明の一態様として、一対の接続部のそれぞれは、帯状に形成されるとともに、一対の第一壁予定部のそれぞれの一端側を始点とした一対の折曲罫線であって、第一方向に延びる仮想線に対して傾斜する一対の折曲罫線を有していることが好ましい。このように、接続部が帯状に形成されれば、第二壁予定部（基端部及び先端部）に挟み込まれた状態で、接続部と第二壁部（第二壁予定部（基端部及び先端））とが面対向する。従って、接続部の強度が増すだけでなく、接続部がより確実に第二壁部を支持する。また、帯状に形成された接続部は、一対の第一壁予定部のそれぞれの一端側を始点とする一対の折曲罫線であって、第一方向に延びる仮想線に対して傾斜する一対の折曲罫線を有しているため、接続部は、箱用資材全体が扁平状態にされるとき（第一壁予定部が傾倒状態にされるとき）に、折曲罫線で折り曲げられて変形し、箱用資材全体が扁平状態から立体形状にされるとき（第一壁予定部が起立状態にされるとき）に、折り曲げられた状態から真っ直ぐに延びた状態に変形する。
【００２７】
この場合、接続部における一対の折曲罫線間の領域の曲げ剛性が該接続部における他の領域の曲げ剛性よりも高く設定されていることが好ましい。このようにすれば、接続部における一対の折曲罫線間で不用意に変形する（折り曲げられる）ことが阻止される。従って、箱用資材全体が扁平状態にされるときや扁平状態から立体形状にされるときに、接続部がより適正に変形することができる。
【００２８】
より具体的には、底予定部、第一壁予定部、第二壁予定部、及び接続部のそれぞれは、紙で形成され、接続部は、第一壁予定部及び第二壁予定部よりも薄い紙で形成され、該接続部における一対の折曲罫線間は、薄い紙を二重以上に重ね合わされていてもよい。このようにすれば、接続部における一対の折曲罫線間の厚みが、薄い紙を重ねた枚数に応じて厚くなる（二倍以上になる）ため、一対の折曲罫線間の領域の曲げ剛性が他の領域の曲げ剛性よりも高くなる。従って、簡単な構成にしつつも、接続部の不用意な変形（折れ曲がり）を防止することができる。
【発明の効果】
【００２９】
以上のように、本発明の箱用資材によれば、対象物を収容する収容空間を画定する箱本体に組み立てることができ、組み立て後に箱本体の底部に対して起立する壁部の姿勢を安定して維持させることができるという優れた効果を奏し得る。
【図面の簡単な説明】
【００３０】
【図１】図１は、本発明の一実施形態に係る箱用資材によって作製された箱の分解斜視図である。
【図２】図２は、同実施形態に係る箱用資材の斜視図であって、箱本体を作製するための箱用資材（第一箱用資材）と、蓋体になる箱用資材（第二箱用資材）とを重ね合わせた状態の斜視図である。
【図３】図３は、同実施形態の箱用資材（第一箱用資材）の斜視図であって、第一壁部になる第一壁予定部を起立させた状態の斜視図である。
【図４】図４は、同実施形態の箱用資材（第一箱用資材）の斜視図であって、第一壁部になる第一壁予定部を傾倒（横臥）させた状態の斜視図である。
【図５】図５は、同実施形態の箱用資材（第一箱用資材）の斜視図であって、第二壁部になる第二壁予定部を折り返した状態の斜視図である。
【図６】図６は、同実施形態の箱用資材（第一箱用資材）の分解斜視図である。
【図７】図７は、同実施形態の箱用資材（第一箱用資材）の底予定部及び第二壁予定部を形成するための第一部材の平面図である。
【図８】図８は、同実施形態の箱用資材（第一箱用資材）の一方の第一壁予定部を形成するための一方の第二部材の平面図である。
【図９】図９は、同実施形態の箱用資材（第一箱用資材）の他方の第一壁予定部を形成するための他方の第二部材の平面図である。
【図１０】図１０は、同実施形態の箱用資材（第一箱用資材）の底予定部及び接続部を形成するための第三部材の平面図である。
【図１１】図１１は、本発明の他実施形態に係る箱用資材（第一箱用資材）の斜視図であって、第一壁部となる第一壁予定部を起立させた状態の斜視図である。
【図１２】図１２は、従来の箱用資材によって作製された箱の分解斜視図である。
【図１３】図１３は、従来の箱用資材（箱本体を作製するための箱用資材）の平面図である。
【発明を実施するための形態】
【００３１】
以下、本発明の一実施形態について、添付図面を参照しつつ説明する。
【００３２】
まず、本実施形態に係る箱用資材を用いて作製される箱について説明する。かかる箱は、商品等の対象物を包装或いは梱包するためのもので、図１に示す如く、対象物（図示しない）を収容するための収容空間Ｓと該収容空間Ｓに対して対象物を出し入れするための上端開放部ＯＰとを画定した箱本体１０と、箱本体１０の上端開放部ＯＰを閉塞可能に形成された蓋体１１とを備える。
【００３３】
箱本体１０は、第一方向及び該第一方向と直交する第二方向に広がる底部１００と、第一方向に間隔をあけて互いに対向する一対の第一壁部１０１，１０１であって、それぞれが第一方向及び第二方向と直交する第三方向に上端及び下端を有し、下端が底部１００に接続された一対の第一壁部１０１，１０１と、第二方向に間隔をあけ、一対の第一壁部１０１，１０１間で互いに対向する一対の第二壁部１０２，１０２であって、それぞれが第三方向に上端及び下端を有し、下端が底部１００に接続されるとともに第一方向の両端が隣り合う第一壁部１０１，１０１に接続された一対の第二壁部１０２，１０２とを有する。
【００３４】
箱本体１０において、第一壁部１０１，１０１及び第二壁部１０２，１０２は、互いに接続されることで底部１００の外周に沿った環状の壁（周壁）を形成する。これにより、箱本体１０は、底部１００上に配置された対象物を第一壁部１０１，１０１及び第二壁部１０２，１０２によって包囲できるようになっている。すなわち、箱本体１０は、底部１００、第一壁部１０１，１０１及び第二壁部１０２，１０２によって対象物を収容する収容空間Ｓを画定し、第一壁部１０１，１０１及び第二壁部１０２，１０２の上端によって上端開放部ＯＰを画定している。
【００３５】
蓋体１１は、箱本体１０の底部１００と対面する平板状の蓋本体１１０を備える。蓋体１１は、蓋本体１１０が箱本体１０の第一壁部１０１，１０１及び第二壁部１０２，１０２の上端に重ね合わされることで、箱本体１０の上端開放部ＯＰを閉塞する。
【００３６】
本実施形態において、上述の如く、箱本体１０と蓋体１１とは、それぞれ独立している。そのため、本実施形態において、箱１を作製するための箱用資材として、図２に示す如く、箱本体１０を作製するための箱用資材（以下、第一箱用資材という）２と、蓋体１１となる箱用資材（以下、第二箱用資材という）３が用いられる。
【００３７】
第一箱用資材２は、図３〜図５に示す如く、底部１００になる底予定部２０と、一対の第一壁部１０１，１０１になる一対の第一壁予定部２１，２１であって、それぞれが一端と該一端の反対側の他端とを有し、互いの一端が第一方向に間隔をあけて底予定部２０に接続され、該一端で折り曲げ可能に設けられた一対の第一壁予定部２１，２１と、一対の第一壁予定部２１，２１の対応する端部同士を接続した変形可能な一対の接続部２２，２２であって、伸長状態における第一方向の長さが一対の第一壁予定部２１，２１の一端同士の間隔と同一又は略同一の長さに設定された一対の接続部２２，２２と、一対の第二壁部１０２，１０２になる一対の第二壁予定部２３，２３であって、それぞれが一端と該一端の反対側の他端とを有し、互いの一端が第二方向に間隔をあけて底予定部２０に接続され、該一端で折り曲げ可能に設けられた一対の第二壁予定部２３，２３とを備える。
【００３８】
本実施形態に係る第一箱用資材２において、第一壁予定部２１の一端に沿って折曲罫線Ｌ１が設けられる。すなわち、第一壁予定部２１と底予定部２０との境界に折曲罫線Ｌ１が設けられる。これにより、一対の第一壁予定部２１，２１のそれぞれは、底予定部２０との境界にある折曲罫線Ｌ１（一端）で折り曲げられるようになっている。
【００３９】
一対の接続部２２，２２のそれぞれは、帯状に形成される。本実施形態において、一対の接続部２２，２２のそれぞれは、折り曲げによって変形する。具体的に説明すると、一対の接続部２２，２２のそれぞれは、一対の第一壁予定部２１，２１のそれぞれの一端側を始点とした一対の折曲罫線Ｌ２，Ｌ２であって、第一方向に延びる仮想線に対して傾斜する一対の折曲罫線Ｌ２，Ｌ２を有する。一対の折曲罫線Ｌ２，Ｌ２は、接続部２２，２２における第一方向の中央を通って第二方向に延びる仮想線を基準に対称的に設けられている。
【００４０】
接続部２２，２２における一対の折曲罫線Ｌ２，Ｌ２間の領域の曲げ剛性は、該接続部２２における他の領域の曲げ剛性よりも高く設定されている。本実施形態において、接続部２２，２２において、一対の折曲罫線Ｌ２，Ｌ２間の厚みが他の領域の厚みよりも厚くなっており、この厚みによって曲げ剛性が高められている。
【００４１】
本実施形態に係る第一箱用資材２おいて、第二壁予定部２３の一端に沿って折曲罫線Ｌ３が設けられる。すなわち、第二壁予定部２３と底予定部２０との境界に折曲罫線Ｌ３が設けられる。これにより、一対の第二壁予定部２３，２３のそれぞれは、底予定部２０との境界にある折曲罫線Ｌ３（一端）で折り曲げられるようになっている。
【００４２】
一対の第二壁予定部２３，２３のそれぞれは、底予定部２０に接続された基端部２３０と、基端部２３０の先端に接続された先端部２３１とを備え、基端部２３０と先端部２３１との境界で折り曲げ可能に構成される。本実施形態において、基端部２３０と先端部２３１との境界に折曲罫線Ｌ４が設けられている。これにより、第二壁予定部２３は、基端部２３０と先端部２３１との境界にある折曲罫線Ｌ４で二つ折りになるようにもなっている。
【００４３】
本実施形態において、第一箱用資材２全体が紙で構成される。すなわち、底予定部２０、第一壁予定部２１，２１、第二壁予定部２３，２３、及び接続部２２，２２のそれぞれは、紙で形成されている。接続部２２，２２は、第一壁予定部２１，２１及び第二壁予定部２３，２３よりも薄い紙で形成される。接続部２２，２２における一対の折曲罫線Ｌ２，Ｌ２間は、薄い紙を二重以上に重ね合わせて形成されている。本実施形態において、接続部２２，２２の一対の折曲罫線Ｌ２，Ｌ２間の領域は、重ね合わされた（貼り合わされた）二枚の紙で形成され、接続部２２，２２の他の領域（一対の折曲罫線Ｌ２，Ｌ２間以外の領域）は、一枚の紙で形成されている。これにより、上述の如く、接続部２２，２２における一対の折曲罫線Ｌ２，Ｌ２間の領域の曲げ剛性が該接続部２２における他の領域の曲げ剛性よりも高くなっている。
【００４４】
ここで、本実施形態の第一箱用資材２について、より具体的に説明すると、図６に示す如く、第一箱用資材２は、底予定部２０の一部と第二壁予定部２３，２３とを含む第一部材２４と、第一壁予定部２１，２１を構成する第二部材２５と、底予定部２０の一部と接続部２２，２２とを含む第三部材２６であって、第一部材２４と第二部材２５とを接続する第三部材２６とによって形成される。
【００４５】
第一部材２４は、厚紙により構成される。第一部材２４は、図６及び図７に示す如く、底予定部２０の一部を構成する底基層部２４０と、底基層部２４０を第二方向で挟むように配置された一対の第二壁予定部２３，２３とを備える。底基層部２４０は平面視矩形状に形成され、一対の第二壁予定部２３，２３のそれぞれも矩形状に形成される。
【００４６】
これにより、第一部材２４は、底基層部２４０及び一対の第二壁予定部２３，２３によって平面視矩形状（長方形状）に形成される。そして、第一部材２４は、底基層部２４０と第二壁予定部２３，２３との境界に折曲罫線Ｌ３を有する。この折曲罫線Ｌ３は、第一箱用資材２における底予定部２０と第二壁予定部２３との境界の折曲罫線Ｌ３を構成する。
【００４７】
第二壁予定部２３，２３は、上述の如く、基端部２３０及び先端部２３１を含むため、第一部材２４は、第二壁予定部２３，２３の基端部２３０と先端部２３１との境界にも折曲罫線Ｌ４を有する。この折曲罫線Ｌ４は、第一箱用資材２の第二壁予定部２３における基端部２３０と先端部２３１との境界の折曲罫線Ｌ４を構成する。本実施形態において、第一部材２４は、厚紙で構成されるため、各折曲罫線Ｌ３，Ｌ４は、溝状のハーフカットにより構成される。
【００４８】
第二部材２５は、厚紙により構成される。第二部材２５は、図６に示す如く、厚紙を二つ折りにしたもので、全体で矩形状の第一壁予定部２１，２１を構成する。より具体的には、第二部材２５は、図８及び図９に示す如く、箱本体１０の第一壁部１０１の内面を構成する第一領域２５０であって、平面視矩形状の第一領域２５０と、箱本体１０の第一壁部１０１の外面を構成する第二領域２５１であって、平面視矩形状の第二領域２５１とを備える。第一領域２５０は、第二領域２５１と連続しており、該第二領域２５１よりも僅かに小さく形成されている。具体的には、第一領域２５０の第二方向の長さは、第二領域２５１の第二方向の長さよりも短く設定されている。そして、第二部材２５において、第一領域２５０及び第二領域２５１は、第一方向に並んでおり、第二方向の一端側及び他端側が第一方向に延びる中心線（仮想線）を基準に対称形状になるように配置されている。
【００４９】
そして、第一領域２５０と第二領域２５１との境界には、第二方向に延びる直線状の折曲罫線Ｌ５が設けられている。かかる第二部材２５は、第一部材２４及び第三部材２６に接続されるにあたり、図６に示す如く、折曲罫線Ｌ５で二つ折りにされる。ここで、第二部材２５についても、厚紙で構成されるため、折曲罫線Ｌ５は、溝状のハーフカットにより構成される。
【００５０】
第二部材２５は、第一壁予定部２１を構成する部材であるため、一対（二つ）用意される。なお、一対の第一壁予定部２１，２１は、底予定部２０を挟んで対称に配置されるため、一対の第二部材２５，２５は、図８及び図９に示す如く、対称形状に形成される。
【００５１】
第三部材２６は、第一部材２４及び第二部材２５よりも薄い紙で構成される。第三部材２６は、図１０に示す如く、底予定部２０の一部を構成する底表層部２６０と、接続部２２，２２になる接続予定部２６１であって、底表層部２６０の第二方向の両端から延出する一対の接続予定部２６１と、底表層部２６０の第一方向の両端から延出する一対の第一延出片２６２，２６２と、接続予定部２６１の第一方向の両端から延出する第二延出片２６３，２６３とを備える。また、本実施形態に係る第三部材２６は、接続予定部２６１から延出する補強用片２６４を備える。
【００５２】
第三部材２６は、底表層部２６０と接続予定部２６１との境界、底表層部２６０と第一延出片２６２，２６２との境界、及び接続予定部２６１と第二延出片２６３，２６３との境界に折曲罫線Ｌ６，Ｌ７，Ｌ８を有する。また、接続予定部２６１には、底表層部２６０との境界における第一方向の両端を始点する一対の折曲罫線Ｌ２であって、当該接続予定部２６１における第一方向の中央側に向けて傾斜する一対の折曲罫線Ｌ２が設けられている。この折曲罫線Ｌ２は、底表層部２６０との境界（直線）に対して約４５°の角度で延びる。
【００５３】
ここで、底表層部２６０と第一延出片２６２，２６２との境界にある折曲罫線Ｌ７は、第一箱用資材２における底予定部２０と第一壁予定部２１との境界（第一壁予定部２１の一端）にある折曲罫線Ｌ１を構成する。また、接続予定部２６１に設けられる一対の折曲罫線Ｌ２は、第一箱用資材２における接続部２２に設けられる一対の折曲罫線Ｌ２を構成する。第三部材２６は、第一部材２４及び第二部材２５と異なり、薄い紙で構成されるため、折曲罫線Ｌ２，Ｌ６，Ｌ７，Ｌ８は、プレス成形或いは折り目によって構成される。
【００５４】
第三部材２６の底表層部２６０は、第一部材２４の底基層部２４０全面に貼り付けされる。これにより、第三部材２６は、第一部材２４と一体化される。すなわち、第一部材２４の底基層部２４０と第三部材２６の底表層部２６０とが一体化し、底予定部２０になる。
【００５５】
第一延出片２６２，２６２は、第二部材２５（第一壁予定部２１）に貼り合わされる。より具体的には、第三部材２６において、図６に示す如く、第一延出片２６２，２６２が底表層部２６０との境界にある折曲罫線Ｌ７で折り曲げられた上で第二部材２５（第一壁予定部２１）に貼り合わされる。本実施形態において、第二部材２５が厚紙を二つ折りにして形成されるため、第一延出片２６２は、第二部材２５の二つ折りされた第一領域２５０と第二領域２５１との間（折り曲げ部分とは反対側の開放部分）に挿入された上で、第二部材２５の第一領域２５０及び第二領域２５１に貼り合わされる。
【００５６】
第二延出片２６３，２６３は、第二部材２５（第一壁予定部２１）に貼り合わされる。より具体的には、第三部材２６において、接続予定部２６１が底表層部２６０との境界にある折曲罫線Ｌ６で折り曲げられるとともに、第二延出片２６３，２６３が接続予定部２６１との境界にある折曲罫線Ｌ８で折り曲げられた上で、第二延出片２６３，２６３が第二部材２５（第一壁予定部２１，２１）に貼り合わされる。本実施形態において、第二部材２５が厚紙を二つ折りにして形成されるため、第一延出片２６２は、第二部材２５の二つ折りされた第一領域２５０と第二領域２５１との間（第二方向の両端にある開放部分）に挿入された上で、第二部材２５の第一領域２５０及び第二領域２５１に貼り合わされる。
【００５７】
これにより、本実施形態に係る第一箱用資材２は、第二部材２５によって構成された第一壁予定部２１，２１が第三部材２６（第一延出片２６２，２６２、底表層部２６０）を介して底予定部２０に対して折り曲げ可能に接続されている。すなわち、第三部材２６の第一延出片２６２，２６２と底表層部２６０との境界が第一壁予定部２１，２１と底予定部２０との境界を構成する。従って、第一延出片２６２，２６２と底表層部２６０との境界にある折曲罫線Ｌ７が、第一壁予定部２１の一端に沿った折曲罫線Ｌ１を構成し、第一壁予定部２１，２１が一端（折曲罫線Ｌ１（Ｌ７））で折り曲げ可能となる。
【００５８】
補強用片２６４は、折り返された状態で、接続予定部２６１にある一対の折曲罫線Ｌ２，Ｌ２間に位置するように配置されている。これに伴い、補強用片２６４は、接続予定部２６１との境界で折り返され、接続予定部２６１に貼り合わされる。これにより、接続予定部２６１（接続部２２）における一対の折曲罫線Ｌ２，Ｌ２間が二重になって剛性が高められる。
【００５９】
第二箱用資材３は、図６に示す如く、平板状に形成され、第一箱用資材２から作製された箱本体１０における上端開放部ＯＰよりも大きなサイズに設定される。本実施形態に係る第二箱用資材３は、箱本体１０に上端開放部ＯＰを覆うことで蓋体１１となる。
【００６０】
以上のように、本実施形態に係る箱用資材（第一箱用資材）２は、第一方向及び該第一方向と直交する第二方向に広がる底部１００と、第一方向に間隔をあけて互いに対向する一対の第一壁部１０１，１０１であって、それぞれが第一方向及び第二方向と直交する第三方向に上端及び下端を有し、下端が底部１００に接続された一対の第一壁部１０１，１０１と、第二方向に間隔をあけ、一対の第一壁部１０１，１０１間で互いに対向する一対の第二壁部１０２，１０２であって、それぞれが第三方向に上端及び下端を有し、下端が底部１００に接続されるとともに第一方向の両端が隣り合う第一壁部１０１，１０１に接続された一対の第二壁部１０２，１０２とを有する箱本体１０を作製可能な箱用資材２，３であって、底部１００になる底予定部２０と、一対の第一壁部１０１，１０１になる一対の第一壁予定部２１，２１であって、それぞれが底予定部２０に接続された一端と該一端の反対側の他端とを有し、互いの一端が第一方向に間隔をあけて底予定部２０に接続され、該一端で折り曲げ可能に設けられた一対の第一壁予定部２１，２１と、一対の第一壁予定部２１，２１の対応する端部同士を接続した変形可能な一対の接続部２２，２２であって、伸長状態における第一方向の長さが一対の第一壁予定部２１，２１の一端同士の間隔と同一又は略同一の長さに設定された一対の接続部２２，２２と、一対の第二壁部１０２，１０２になる一対の第二壁予定部２３，２３であって、それぞれが底予定部２０に接続された一端と該一端の反対側の他端とを有し、互いの一端が第二方向に間隔をあけて底予定部２０に接続され、該一端で折り曲げ可能に設けられた一対の第二壁予定部２３，２３とを備え、一対の第二壁予定部２３，２３のそれぞれは、底予定部２０に接続された基端部２３０と、基端部２３０の先端に接続された先端部２３１とを備え、基端部２３０と先端部２３１との境界で折り曲げ可能に構成される。
【００６１】
上記構成の箱用資材（第一箱用資材）２によれば、一対の第一壁予定部２１，２１が底予定部２０に接続された一端で折り曲げ可能に構成されているが、一対の第一壁予定部２１，２１の端部同士が、伸長状態における第一方向の長さが一対の第一壁予定部２１，２１の一端同士の間隔と同一又は略同一の長さに設定された一対の接続部２２，２２によって接続されているため、図３に示す如く、一対の第一壁予定部２１，２１の他端同士の間隔が一端同士の間隔よりも広がることが阻止される。従って、一対の第一壁予定部２１，２１は、図４及び図５に示す如く、他端同士の間隔が狭まる方向にのみ折り曲げられる。そして、一対の第一壁予定部２１，２１を接続する接続部２２，２２は、変形可能に構成されているため、第一壁予定部２１，２１を一端で折り曲げることによる第一壁予定部２１，２１の姿勢の変更及び一対の第一壁予定部２１，２１の間隔の変更を許容する。従って、一対の第一壁予定部２１，２１は、底予定部２０に重なった状態にされる。他方、一対の第二壁予定部２３，２３は、底予定部２０に接続された一端で折り曲げ可能に構成されているため、底予定部２０から第二方向に延びた状態、或いは、一端で曲げられて底予定部２０に重なった状態にされる。従って、上記構成の箱用資材２，３は、扁平状態となり、保管時における占有スペースが最小限に抑えられる。
【００６２】
そして、上記構成の箱用資材（第一箱用資材）２において、対象物を収容する箱本体１０を作製するにあたり、図３に示す如く、一対の第一壁予定部２１，２１のそれぞれが一端で折り曲げられて底予定部２０に対して起立し、第一壁部１０１，１０１になる。このとき、一対の第一壁予定部２１，２１の姿勢変更（間隔の変化）に応じ、折れ曲がった接続部２２，２２が伸長状態（真っ直ぐに延びた状態）になる。従って、起立した一対の第一壁予定部２１，２１の他端（第一壁部１０１，１０１の上端）同士の間隔は、伸長状態の接続部２２，２２の長さに対応した間隔と同一又は略同一の間隔となる。この状態で、起立した一対の第一壁予定部２１，２１の他端（第一壁部１０１，１０１の上端）同士の間隔が一端（第一壁部１０１，１０１の下端）同士の間隔よりも広がることが阻止される。すなわち、一対の第一壁予定部２１，２１（第一壁部１０１，１０１）のそれぞれが互いに離反する方向に傾倒することが阻止される。
【００６３】
そして、一対の第二壁予定部２３，２３のそれぞれにおいて、基端部２３０と底予定部２０との境界、基端部２３０と先端部２３１との境界で折り曲げられる。これにより、基端部２３０と先端部２３１とが二つ折りにされた状態で底予定部２０に対して起立し、図１に示す如く、第二壁部１０２，１０２になる。この状態において、第二壁予定部２３，２３（第二壁部１０２，１０２）は、基端部２３０及び先端部２３１によって接続部２２，２２を挟み込む。これにより、起立した第二壁部１０２，１０２（二つ折りにされた第二壁予定部２３，２３（基端部２３０及び先端部２３１））は、内側及び外側に傾倒することが阻止される。また、起立した第二壁部１０２，１０２は、一対の第一壁部１０１，１０１間で互いに対向するため、一対の第一壁部１０１，１０１の内側への傾倒を阻止する。
【００６４】
以上のように、本実施形態に係る箱用資材（第一箱用資材）２によれば、対象物を収容する収容空間Ｓを画定する箱本体１０に組み立てることができ、組み立て後に箱本体１０の底部１００に対して起立する壁部（第一壁部１０１，１０１及び第二壁部１０２，１０２）の姿勢を安定して維持させることができるという優れた効果を奏し得る。
【００６５】
また、本実施形態において、一対の接続部２２，２２のそれぞれは、帯状に形成されているため、第二壁予定部２３，２３（基端部２３０及び先端部２３１）に挟み込まれた状態で、接続部２２，２２と第二壁部１０２，１０２（第二壁予定部２３，２３（基端部２３０及び先端部２３１））とが面対向する。従って、接続部２２，２２の強度が増すだけでなく、接続部２２，２２がより確実に第二壁部１０２，１０２を支持する。また、一対の接続部２２，２２のそれぞれは、一対の第一壁予定部２１，２１のそれぞれの一端側を始点とした一対の折曲罫線Ｌ２，Ｌ２であって、第一方向に延びる仮想線に対して傾斜する一対の折曲罫線Ｌ２，Ｌ２を有するため、箱用資材２，３全体が扁平状態にされるときや扁平状態から立体形状にされるときに、接続部２２，２２が適正に折り曲げられたり延びたりすることができる。
【００６６】
そして、接続部２２，２２の一対の折曲罫線Ｌ２，Ｌ２間の領域の曲げ剛性が該接続部２２，２２の他の領域の曲げ剛性よりも高く設定されるため、接続部２２，２２における一対の折曲罫線Ｌ２，Ｌ２間が不用意に折り曲げられることが防止される。従って、箱用資材２，３全体が扁平状態にされるときや扁平状態から立体形状にされるときに、接続部２２，２２がより適正に折り曲げられたり延びたりすることができる。
【００６７】
本実施形態において、底予定部２０、第一壁予定部２１，２１、第二壁予定部２３，２３、及び接続部２２，２２のそれぞれは、紙で形成され、接続部２２，２２は、第一壁予定部２１，２１及び第二壁予定部２３，２３よりも薄い紙で形成され、該接続部２２，２２における一対の折曲罫線間は、薄い紙を二重以上に重ね合わせて形成されているため、接続部２２，２２における一対の折曲罫線Ｌ２，Ｌ２間の厚みが、薄い紙を重ねた枚数に応じて厚くなる（二倍以上になる）。これにより、一対の折曲罫線Ｌ２，Ｌ２間の曲げ剛性が他の領域の曲げ剛性よりも高まる。従って、簡単な構成にしつつも、接続部２２，２２の不用意な折れ曲がりを阻止することができる。
【００６８】
なお、本発明は、上記実施形態に限定されるものではなく、本発明の要旨を逸脱しない範囲で適宜変更可能である。
【００６９】
例えば、上記実施形態において、箱１を作製するための箱用資材として、箱本体１０を作製するための第一箱用資材２と、蓋体１１となる第二箱用資材３とが用いられたが、これに限定されない。例えば、箱本体１０を作製する第一箱用資材２と、蓋体１１となる第二箱用資材３とを一体的にしてもよい。すなわち、箱用資材２，３は、箱本体１０となる部位に対して蓋体１１となる部位を連続させたもの（例えば、第一壁予定部２１，２１及び第二壁予定部２３，２３の少なくとも何れか一方の上端に蓋体１１となる部位を接続したもの）であってもよい。このようにすれば、箱本体１０と蓋体１１とが一体的になった箱１を作製することができる。
【００７０】
上記実施形態において、一対の第一壁予定部２１，２１に接続された接続部２２，２２が底予定部２０にも接続されたが、これに限定されない。例えば、図１１に示す如く、接続部２２，２２を幅狭に形成し、一対の第一壁予定部２１，２１にのみ接続されてもよい。この場合においても、伸長状態（真っ直ぐに延びた状態）の接続部２２，２２の第一方向における長さが、一対の第一壁予定部２１，２１の一端同士の間隔と同一又は略同一に設定されることは勿論である。
【００７１】
上記実施形態において、接続部２２，２２が帯状に形成されたが、これに限定されない。例えば、接続部２２，２２は、紐等の線材で構成されてもよい。但し、この場合においても、接続部２２，２２は折れ曲がりや湾曲によって変形可能に構成されるとともに、伸長状態（真っ直ぐに延びた状態）の接続部２２，２２の第一方向における長さが、一対の第一壁予定部２１，２１の一端同士の間隔と同一又は略同一に設定されることは勿論である。なお、接続部２２は、上記実施形態のように紙等の伸縮性のない素材で構成することが好ましいが、多少の伸縮性を有していてもよい。
【００７２】
上記実施形態において、接続部２２，２２における一対の折曲罫線Ｌ２，Ｌ２間の厚みを他の領域の厚みよりも厚くすることで、剛性を高めたがこれに限定されない。例えば、接続部２２，２２が適度の剛性を有していれば、接続部２２，２２全体が均一な厚みで形成されてもよい。
【００７３】
上記実施形態において、接続部２２，２２における一対の折曲罫線Ｌ２，Ｌ２間の曲げ剛性を高めるために、折曲罫線Ｌ２，Ｌ２間が薄い紙（シート）で二重にされたが、これに限定されない。例えば、接続部２２，２２における一対の折曲罫線Ｌ２，Ｌ２間の曲げ剛性を高めるために、折曲罫線間が薄い紙（シート）で三重以上にされてもよい。
【００７４】
上記実施形態において、箱用資材２，３を紙で構成したが、これに限定されない。例えば、箱用資材２，３は、樹脂製のプレート或いはシートで構成してもよい。この場合、折り曲げられる箇所に対して折曲罫線を設けることは言うまでもない。
【００７５】
上記実施形態において、三つの部材（第一部材２４、第二部材２５、第三部材２６）を接続して箱用資材（第一箱用資材）３を構成したが、これに限定されない。例えば、箱用資材３は、底予定部２０、第一壁予定部２１、及び第二壁予定部２３を含む第一部材と、接続予定部２６１及び第二延出片２６３を含む第二部材であって、第二延出片２６３が第一部材の第一壁予定部２１に接続された第二部材とを備えたものであってもよい。
【符号の説明】
【００７６】
１…箱、２…第一箱用資材（箱用資材）、３…第二箱用資材（箱用資材）、１０…箱本体、１１…蓋体、２０…底予定部、２１…第一壁予定部、２２…接続部、２３…第二壁予定部、２４…第一部材、２５…第二部材、２６…第三部材、１００…底部、１０１…第一壁部、１０２…第二壁部、１１０…蓋本体、２３０…基端部、２３１…先端部、２４０…底基層部、２５０…第一領域、２５１…第二領域、２６０…底表層部、２６１…接続予定部、２６２…第一延出片、２６３…第二延出片、２６４…補強用片、Ｌ１，Ｌ２，Ｌ３，Ｌ４，Ｌ５，Ｌ６，Ｌ７，Ｌ８…折曲罫線、ＯＰ…上端開放部、Ｓ…収容空間
【図１】
2017047949.tif 000003
【図２】
2017047949.tif 000004
【図３】
2017047949.tif 000005
【図４】
2017047949.tif 000006
【図５】
2017047949.tif 000007
【図６】
2017047949.tif 000008
【図７】
2017047949.tif 000009
【図８】
2017047949.tif 000010
【図９】
2017047949.tif 000011
【図１０】
2017047949.tif 000012
【図１１】
2017047949.tif 000013
【図１２】
2017047949.tif 000014
【図１３】
2017047949.tif 000015